(57)【特許請求の範囲】
【請求項１】
インフィード部にウェブ張力をプリセット値に保持するウェブ張力調整機構を有する印刷装置にそなえられ、印刷開始前に前記プリセット値を自動設定するウェブ張力プリセット装置であって、
印刷条件情報のうち、前記ウェブ張力に変動を与えるウェブ張力変動要素の情報を入力しうる入力装置と、
前記プリセット値の設定入力がない場合、予め設定されたウェブ張力変動要素の状態とウェブ張力のプリセット値との関係に基づいて、前記入力装置により入力されたウェブ張力変動要素に対応するウェブ張力のプリセット値を選択して印刷に使用する前記プリセット値に設定するプリセット値設定装置とをそなえ、
前記ウェブ張力変動要素には、前記印刷装置に複数組そなえられた印刷胴のうちの印刷に使用する印刷胴の数又は割合が含まれるとともに、
前記印刷に使用する印刷胴の数又は割合は、頁割り付け情報から求められる
ことを特徴とする、印刷用ウェブ張力プリセット装置。
【請求項２】
前記ウェブ張力変動要素には、印刷時に使用するインキの供給量及び湿し水の供給量のうちの少なくとも何れかの要素が含まれている
ことを特徴とする、請求項１記載の印刷用ウェブ張力プリセット装置。
【請求項３】
前記ウェブ張力変動要素には、印刷する絵柄の画線率が含まれている
ことを特徴とする、請求項１又は２記載の印刷用ウェブ張力プリセット装置。
【請求項４】
インフィード部にウェブ張力をプリセット値に保持するウェブ張力調整機構を有する印刷装置を複数そなえた輪転印刷機に付設され、前記各印刷装置のプリセット値の設定を含む印刷条件の設定を支援する印刷機の運転支援装置であって、
前記ウェブ張力に変動を与えるウェブ張力変動要素の情報を含んだ前記印刷条件の情報を入力しうる入力装置と、
設定されたプリセット値に応じて前記ウェブ張力調整機構を調整する制御装置と、
予め設定されたウェブ張力変動要素の状態とウェブ張力のプリセット値との関係に基づいて、入力装置により入力されたウェブ張力変動要素に対応するウェブ張力のプリセット値を選択して、前記印刷条件に適した推奨プリセット値として表示する表示装置とをそなえ、
前記入力装置を通じて、前記表示された推奨プリセット値の選択を含むプリセット値の設定が可能に構成され、
前記ウェブ張力変動要素には、前記印刷装置に複数組そなえられた印刷胴のうちの印刷に使用する印刷胴の数又は割合が含まれるとともに、
前記印刷に使用する印刷胴の数又は割合は、頁割り付け情報から求められる
ことを特徴とする、印刷機の運転支援装置。
【請求項５】
前記制御装置は、前記入力装置を通じた前記プリセット値の設定入力がなく、印刷開始指令がされた場合には、前記推奨プリセット値を前記プリセット値に設定して前記ウェブ張力調整機構を調整する
ことを特徴とする、請求項４記載の印刷機の運転支援装置。
【請求項６】
前記表示装置には、前記複数の印刷装置の各プリセット値が同一の表示画面に並べて表示され、前記表示画面を参照して前記各プリセット値を何れも設定可能に構成されていることを特徴とする、請求項４又は５記載の印刷機の運転支援装置。
【請求項７】
前記入力装置を通じて、前記プリセット値の設定変更が可能に構成され、
前記入力装置を通じて最終設定されたプリセット値を前記印刷条件毎に記憶し、次回の前記記憶したプリセット値を前記推奨プリセット値とする
ことを特徴とする、請求項４〜６の何れか1項に記載の印刷機の運転支援装置。
【請求項８】
前記ウェブ張力変動要素には、印刷時に使用するインキの供給量及び湿し水の供給量のうちの少なくとも何れかの要素が含まれている
ことを特徴とする、請求項４〜７の何れか1項に記載の印刷機の運転支援装置。
【請求項９】
前記ウェブ張力変動要素には、印刷する絵柄の画線率が含まれている
ことを特徴とする、請求項４〜８の何れか１項に記載の印刷機の運転支援装置。
【請求項１０】
インフィード部にウェブ張力をプリセット値に保持するウェブ張力調整機構を有する印刷装置を複数そなえた輪転印刷機に付設され、前記各印刷装置のプリセット値の設定を含む印刷条件の設定を支援する印刷機の運転支援方法であって、
前記ウェブ張力に変動を与えるウェブ張力変動要素の情報が入力されると、予め設定されたウェブ張力変動要素の状態とウェブ張力のプリセット値との関係に基づいて、前記入力されたウェブ張力変動要素に対応するウェブ張力のプリセット値を選択して、前記印刷条件に適した推奨プリセット値として表示装置に表示するステップと、
その後、前記表示された推奨プリセット値の選択を含むプリセット値の設定操作を受けて設定されたプリセット値に応じて前記ウェブ張力調整機構を調整するステップと、をそなえ、
前記ウェブ張力変動要素には、前記印刷装置に複数組そなえられた印刷胴のうちの印刷に使用する印刷胴の数又は割合が含まれるとともに、
前記印刷に使用する印刷胴の数又は割合は、頁割り付け情報から求められる
ことを特徴とする、印刷機の運転支援方法。
【発明の詳細な説明】
【技術分野】
【０００１】
本発明は、複数の新聞用紙が重合され折加工がなされた新聞を生産する新聞輪転機に用いて好適の、印刷用ウェブ張力プリセット装置，印刷機の運転支援装置及び運転支援方法に関する。
【背景技術】
【０００２】
印刷機、特に、輪転印刷機を運転する際には、各種の事前準備や、印刷機の運転時の管理等を行なうことが必要である。
このような輪転印刷機の事前準備として、インフィード部に備えられたダンサローラを通じて印刷用連続紙（以下、ウェブという）が所定の張力状態になるようにプリセットする処理がある。ウェブの張力状態は、ダンサローラの軸位置を弾性的に支持する弾性支持部材の特性（通常、エアシリンダによって弾性支持するのでエア圧）で調整することができる。
【０００３】
つまり、輪転印刷機は、ウェブの走行方向上流側から、給紙部，インフィード部，印刷装置部（印刷ユニット、或いは、単に、印刷部ともいう），乾燥部，冷却部，ウェブパス部，折機部及びそれらを適宜にコントロールする制御部等をその要部としてそなえている。
インフィード部は、巻取紙から連続的にウェブを引き出す部分であり、図８に示すように、ウェブＷの走行方向上流側から、ウェブＷを挟持して回転移送するインフィードドラグ（インフィードローラ）１０２と、下流側へのウェブテンション（ウェブ張力）を所定の状態にコントロールするダンサローラ１０３と、インフィードテンションピック１０４とを具備している。
【０００４】
インフィードドラグ１０２は、主駆動軸と無段変速機を介して連結されるか、或いは駆動用モータに連結されて回転し、ウェブＷを駆動する。
ダンサローラ１０３は、ガイドロール１０３ａ，１０３ｂ間にそなえられ、ウェブＷの走行方向に対し直角方向でウェブＷと並行に配設された回転軸１０５ａにアーム１０５ｂを介して回転自在に取り付けられており、アーム１０５ｂがエアシリンダ１０５及びバネ１０５ｃによって上下方向（即ち，ウェブＷの走行面に離接する方向）に弾性的に支持されている。このようなダンサローラ１０３及びエアシリンダ１０５を主たる構成要素としてウェブ張力調整機構が構成される。
【０００５】
ウェブＷはガイドロール１０３ａ，ダンサローラ１０３，ガイドロール１０３ｂの順に巻き付きながら走行し、ウェブＷの張力が弱ければエアシリンダ１０５によってダンサローラ１０３が降下してウェブＷの張力を高め、ウェブＷの張力が強ければエアシリンダ１０５に抗してダンサローラ１０３が上昇しウェブＷの張力を低下させるようになっている。
【０００６】
したがって、エアシリンダ１０５のエア圧を設定したいウェブＷの張力（目標張力）に見合うように設定することにより、ダンサローラ１０３の動きによりウェブＷの張力が目標張力の近傍に保持されることになる（以上、特許文献１，２参照）。
つまり、ウェブの張力状態のプリセットには、かかるエアシリンダのエア圧をプリセットすることで行なうことができる。なお、かかるエアシリンダのエア圧をインフィードダンサエア圧、略して、ダンサ圧とも称する。
【０００７】
このようなエアシリンダのエア圧（ダンサ圧）は、遠隔操作によって行なうことができ、印刷前に、オペレータが手動操作でダンサ圧をプリセットすることができる。
【特許文献１】特開２００１−４８３８６号公報
【特許文献２】特開２００２−２４９２６８号公報
【発明の開示】
【発明が解決しようとする課題】
【０００８】
ところで、例えば新聞輪転機のように、複数の印刷ユニット（印刷部）をそなえ、各印刷ユニットにより印刷したウェブを集合させて、重合、断裁して新聞等の印刷物を製造する印刷機の場合、印刷オペレータが所定の端末機等を利用して各印刷ユニットを含んで印刷機全体の各部を統合して管理することができるようになっている。
このような管理システムは、印刷機の運転支援装置とも称されるが、ダンサ圧についても運転パターン毎に、各印刷ユニットに対するプリセット値を用意して、印刷準備の際には、印刷オペレータが変更操作をしない限り、ダンサ圧はこのプリセット値にセットされるようになっている。
【０００９】
しかしながら、各印刷ユニットは常に一定の条件下で使用するとは限らず、使用する条件が異なれば、設定すべきプリセット値も異なることになる。
例えば、ウェブの１面に対して４色のプロセスカラーに対応するように４組の印刷胴（版胴及びブランケット胴）をそなえフルカラー印刷を行なえる印刷ユニットにおいて、１部の印刷胴を部分的に使用して少ない色（例えば、単色）で印刷する場合がある。この場合、未使用胴については、胴入れすらしないことになり、印刷条件が異なるため、ダンサ圧のプリセット値も各印刷条件に応じたものに設定すべきである。
【００１０】
また、インキの供給量や湿し水の供給量によっても、テンションが変動する為例えばウェブが伸びる環境下ではダンサ圧を上げた方が好適であるなど、ダンサ圧の最適なプリセット値も異なってくる。
現状の印刷機では、このような印刷条件に応じたプリセット値の変更は、印刷オペレータの判断に頼っており、印刷オペレータが、印刷条件が異なったことに気付き、その場合、プリセット値をどのように変更すべきかを判断し、所定の端末機等を利用して変更操作を行なうようにしている。
【００１１】
しかし、このような変更操作は、印刷オペレータが設定操作に熟練していなくてはならず、行なうべきプリセット値の設定変更を行ない忘れたり、誤った変更をしたりして、不適切なダンサ圧のプリセットによって、印刷品質に支障をきたしてしまうおそれがある。
本発明はこのような課題に鑑み創案されたもので、印刷時に事前にウェブの張力設定を容易にしかも精度よく行なうことができるようにした、印刷用ウェブ張力プリセット装置並びに印刷機の運転支援装置及び運転支援方法を提供することを目的とする。
【課題を解決するための手段】
【００１２】
上述の目的を達成するために、本発明の印刷用ウェブ張力プリセット装置（請求項１）は、インフィード部にウェブ張力をプリセット値に保持するウェブ張力調整機構を有する印刷装置にそなえられ、印刷開始前に前記プリセット値を自動設定するウェブ張力プリセット装置であって、印刷条件情報のうち、前記ウェブ張力に変動を与えるウェブ張力変動要素の情報を入力しうる入力装置と、前記プリセット値の設定入力がない場合、予め設定されたウェブ張力変動要素の状態とウェブ張力のプリセット値との関係に基づいて、前記入力装置により入力されたウェブ張力変動要素に対応するウェブ張力のプリセット値を選択して印刷に使用する前記プリセット値に設定するプリセット値設定装置とをそなえ、前記ウェブ張力変動要素には、前記印刷装置に複数組そなえられた印刷胴のうちの印刷に使用する印刷胴の数又は割合（水版の数、湿し水供給量に関連する要素）が含まれるとともに、前記印刷に使用する印刷胴の数又は割合は、頁割り付け情報から求められることを特徴としている。
【００１３】
前記ウェブ張力変動要素には、印刷時に使用するインキの供給量及び湿し水の供給量のうちの少なくとも何れかの要素が含まれていることが好ましい（請求項２）。
前記ウェブ張力変動要素には、印刷する絵柄の画線率（インキ供給量、湿し水供給量に関連する要素）が含まれていることが好ましい（請求項３）。
【００１４】
また、本発明の印刷機の運転支援装置（請求項４）は、インフィード部にウェブ張力をプリセット値に保持するウェブ張力調整機構を有する印刷装置を複数そなえた輪転印刷機に付設され、前記各印刷装置のプリセット値の設定を含む印刷条件の設定を支援する印刷機の運転支援装置であって、前記ウェブ張力に変動を与えるウェブ張力変動要素の情報を含んだ前記印刷条件の情報を入力しうる入力装置と、設定されたプリセット値に応じて前記ウェブ張力調整機構を調整する制御装置と、予め設定されたウェブ張力変動要素の状態とウェブ張力のプリセット値との関係に基づいて、入力装置により入力されたウェブ張力変動要素に対応するウェブ張力のプリセット値を選択して、前記印刷条件に適した推奨プリセット値として表示する表示装置とをそなえ、前記入力装置を通じて、前記表示された推奨プリセット値の選択を含むプリセット値の設定が可能に構成され、前記ウェブ張力変動要素には、前記印刷装置に複数組そなえられた印刷胴のうちの印刷に使用する印刷胴の数又は割合（水版の数、湿し水供給量に関連する要素）が含まれるとともに、前記印刷に使用する印刷胴の数又は割合は、頁割り付け情報から求められることを特徴としている。
【００１５】
前記制御装置は、印刷前の運転パターン選択後、前記入力装置を通じた前記プリセット値の設定入力をせず、印刷開始指令がされた場合には、前記推奨プリセット値を前記プリセット値に設定して前記ウェブ張力調整機構を調整することが好ましい（請求項５）。
前記表示装置には、前記複数の印刷装置の各プリセット値が同一の表示画面に並べて表示され、前記表示画面を参照して前記各プリセット値を何れも設定可能に構成されていることが好ましい（請求項６）。
【００１６】
前記入力装置を通じて、前記プリセット値の設定変更が可能に構成され、前記入力装置を通じて最終設定された値を前記印刷条件毎に記憶し、次回の前記記憶したプリセット値を前記推奨プリセット値とすることが好ましい（請求項７）。
なお、運転支援装置からは、運転中、ダンサ圧は調整できない場合には、機側で調整したダンサ圧現在値を次回プリセット値として取込み、この現在値取込を、各運転パターンだけでなく、初期値テーブルに取込むことも可能である。
【００１７】
前記ウェブ張力変動要素には、印刷時に使用するインキの供給量及び湿し水の供給量のうちの少なくとも何れかの要素が含まれていることが好ましい（請求項８）。
前記ウェブ張力変動要素には、印刷する絵柄の画線率（インキ供給量、湿し水供給量に関連する要素）が含まれていることが好ましい（請求項９）。
【００１８】
また、本発明の印刷機の運転支援方法（請求項１０）は、インフィード部にウェブ張力をプリセット値に保持するウェブ張力調整機構を有する印刷装置を複数そなえた輪転印刷機に付設され、前記各印刷装置のプリセット値の設定を含む印刷条件の設定を支援する印刷機の運転支援方法であって、前記ウェブ張力に変動を与えるウェブ張力変動要素の情報が入力されると、予め設定されたウェブ張力変動要素の状態とウェブ張力のプリセット値との関係に基づいて、前記入力されたウェブ張力変動要素に対応するウェブ張力のプリセット値を選択して、前記印刷条件に適した推奨プリセット値として表示装置に表示するステップと、その後、前記表示された推奨プリセット値の選択を含むプリセット値の設定操作を受けて設定されたプリセット値に応じて前記ウェブ張力調整機構を調整するステップと、をそなえ、前記ウェブ張力変動要素には、前記印刷装置に複数組そなえられた印刷胴のうちの印刷に使用する印刷胴の数又は割合（水版の数、湿し水供給量に関連する要素）が含まれるとともに、前記印刷に使用する印刷胴の数又は割合は、頁割り付け情報から求められることを特徴としている。
【発明の効果】
【００１９】
本発明の印刷用ウェブ張力プリセット装置（請求項１）及び本発明の新聞輪転機の運転支援装置（請求項５）によれば、印刷装置におけるウェブ張力に変動を与えるウェブ張力変動要素の情報を入力すれば、予め設定されたウェブ張力変動要素の状態とウェブ張力のプリセット値との関係に基づいて、自動でウェブ張力のプリセット値が設定されるので、ウェブ張力の印刷前設定を容易にしかも精度よく行なうことができる。したがって、良好な印刷品質を確保することができる。
【００２０】
また、本発明の新聞輪転機の運転支援装置（請求項４）及び運転支援方法（請求項１０）によれば、印刷装置におけるウェブ張力に変動を与えるウェブ張力変動要素の情報を入力すれば、予め設定されたウェブ張力変動要素の状態とウェブ張力のプリセット値との関係に基づいて、印刷条件に適した推奨プリセット値が表示装置に表示されるので、表示された推奨プリセット値を参照しながら容易に適切なプリセット値の設定操作を行なうことができ、設定されたプリセット値に応じてウェブ張力調整機構を適正に調整することができる。したがって、良好な印刷品質を確保することができる。
【００２１】
また、複数の印刷装置の各プリセット値を同一の表示画面に並べて表示し、この表示画面を参照して各プリセット値を何れも設定可能とすることで（請求項６）、複数の印刷装置を一括して効率よく管理することができる。
また、最終調整された値を各運転パターンの印刷条件毎に記憶し、次回の前記記憶したプリセット値を前記推奨プリセット値とする、いわゆる学習設定をすることで（請求項７）、推奨プリセット値をより適切なものにすることができる。
【００２２】
さらに、最終調整された値を初期値テーブルにも取込むことができる為、新規運転パターン作成時にも、ほぼ調整不要なダンサ圧プリセット値を設定することができる。
ウェブ張力の変動は、ウェブの水分含有率及びインキ受容量に依存するので、印刷時に使用するインキの供給量及び湿し水の供給量のうちの少なくとも何れかの要素がウェブ張力変動要素に含まれるようにすることで（請求項２，８）、推奨プリセット値或いは設定プリセット値として適切なものを与えることができる。
【００２３】
ウェブの水分含有率及びインキ受容量は、複数組の印刷胴（版胴及びブランケット胴のセット）のうちの印刷に使用しない印刷胴があると、かかる印刷胴は例えば水版として水分供給のみに使用するため、ウェブの水分含有率及びインキ受容量に影響し、印刷する絵柄の画線率もウェブの水分含有率及びインキ受容量に影響するので、これらのうちの少なくとも何れかの要素がウェブ張力変動要素に含まれるようにすることで（請求項１，３，４，９，１０）、推奨プリセット値或いは設定プリセット値として適切なものを与えることができる。
【発明を実施するための最良の形態】
【００２４】
以下、図面を参照して本発明の実施形態について説明する。
図１〜図７は本発明の一実施形態にかかる印刷用ウェブ張力プリセット装置、並びに新聞輪転機の運転支援装置及び方法を説明するものであり、これらの図１〜図７を参照すると共に、既に用いた図８を参照して説明する。
なお、本実施形態は、輪転印刷機（単に、印刷機ともいう）として、複数の印刷ユニットにより新聞印刷を行う新聞用オフセット輪転印刷機（新聞輪転機）に本発明を適用したものである。
【００２５】
＜ウェブ張力プリセットにかかる概略装置構成＞
まず、図１のブロック図に基づいて、本実施形態にかかる装置構成の概略を説明する。
図１に示すように、本装置は、印刷条件情報を入力しうる入力装置１と、プリセット値を設定するプリセット値設定装置２と、プリセット値の設定にかかるデータ等を記録されたデータベース３と、プリセット値の設定を含む印刷条件の設定情報及び印刷機の運転状況を画像表示する表示装置４と、プリセット値設定装置２を通じて設定されたプリセット値に応じてウェブ張力調整機構６を調整する制御装置５と、をそなえている。
【００２６】
ただし、これらのウェブ張力プリセットにかかる各構成要素は、新聞輪転機の運転支援装置の１機能として構成されている。
そこで、新聞輪転機及びその運転支援装置を説明しながら、ウェブ張力プリセットにかかる装置及び方法を説明する。
【００２７】
＜新聞輪転機の構成＞
本実施形態にかかる新聞輪転機は、周知の構成となっており、図４に示すように、かかる新聞輪転機１０は、複数の印刷ユニット（タワーユニット）Ｔ１〜Ｔｎ，ウェブパス部１４及び折加工部１５が印刷用紙としての連続紙（ウェブ）Ｗの走行経路にこの順にそなえて構成される。
【００２８】
また、各タワーユニットＴ１〜Ｔｎには、ウェブローラ（巻取紙）１１ａを装着された給紙部１１と、インフィード部１２と、表裏それぞれ適宜の数の版胴及びブランケット胴を備えた印刷部１３とがこの順に設けられている。
ウェブパス部１４は、制御要素としてのコンペンセータローラ等によりウェブパスルートの長さを調整し、ウェブパスルート変更機構により種々の組み合わせで各ウェブ１の重ね合わせ順を変更することができる。なお、新聞輪転機の場合、通常ウェブパス部１４において、スリッタ（図示略）により必要に応じてウェブ１が幅方向に２分割されるため、より複雑なウェブパスルートが形成されることとなる。
【００２９】
このような新聞輪転機に関し、刷版を作成したり、印刷実施前に印刷条件の設定を行なったり、印刷実施時に各部の運転状態を監視し管理をしたりするため、印刷機の運転支援装置が備えられている。
【００３０】
＜新聞輪転機の運転支援装置＞
図３はかかる運転支援システムの概要を示す構成図であり、図示するように、運転支援装置２０は、ハブ（スイッチングハブ）２２を通じて接続された製版端末２１及び各コンソール端末２３を備えている。製版端末２１は、例えば製版室に装備され、接続された上位システム３０から製版データを受信し、管理する。コンソール端末２３は、新聞輪転機毎に装備され、新聞輪転機に備えられた種々の制御装置２４ａ〜２４ｆとネットワーク（例えばＰＬＣネットワーク）により接続され、制御装置２４ａ〜２４ｆの制御や監視を支援する。
【００３１】
各コンソール端末２３は、図２に示すように、コンピュータ本体２３１と、ディスプレイ（表示装置４）２３２とを備え、コンピュータ本体２３１は、ハブ２２及びネットワーク（ＰＬＣネットワーク）と接続されている。なお、本実施形態では、製版端末２１も、各コンソール端末２３と同様の構造及び機能を含んでいるが、ここでは、コンソール端末２３を代表して説明する。
【００３２】
コンソール端末２３のディスプレイ２３２の表示画面には、タッチパネル２３３が畳重して装備されており、このタッチパネル２３３が印刷条件の設定を含む新聞輪転機の運転指令情報を入力する入力装置として機能する。
コンピュータ本体２３１には、その機能要素として、タッチパネル２３３を通じた入力に応じて印刷条件の設定等にかかる演算処理を行なう演算装置２３１ａと、印刷機の運転を指令する指令装置２３１ｂと、ディスプレイ２３２の表示画像を制御する画像制御装置２３１ｃと、メモリ２３１ｄとをそなえている。
【００３３】
演算装置２３１ａの機能要素にプリセット値設定装置２が含まれ、指令装置２３１ｂの機能要素にウェブ張力調整機構６を調整する制御装置５が含まれており、メモリ２３１ｄはデータベース３として機能する。
【００３４】
＜ウェブ張力プリセット＞
このような新聞輪転機において、ウェブＷを適切な張力状態として印刷装置（印刷ユニット）を走行させることが、印刷を適正にするため及び断裁を適正にするために要求される。
インフィード部１２は、図８に示すように、ウェブＷの走行方向上流側から、ウェブＷを挟持して回転移送するインフィードドラグ（インフィードローラ）１０２と、下流側へのウェブテンション（ウェブ張力）を所定の状態にコントロールするダンサローラ１０３と、インフィードテンションピック１０４とを具備している。
【００３５】
ダンサローラ１０３は、ガイドロール１０３ａ，１０３ｂ間にそなえられ、ウェブＷの走行方向に対し直角方向でウェブＷと並行に配設された回転軸１０５ａにアーム１０５ｂを介して回転自在に取り付けられており、アーム１０５ｂがエアシリンダ１０５及びバネ１０５ｃによって上下方向（即ち，ウェブＷの走行面に離接する方向）に弾性的に支持されている。このようなダンサローラ１０３及びエアシリンダ１０５を主たる構成要素としてウェブ張力調整機構が構成される。ウェブＷはガイドロール１０３ａ，ダンサローラ１０３，ガイドロール１０３ｂの順に巻き付きながら走行し、ウェブＷの張力が弱ければエアシリンダ１０５によってダンサローラ１０３が降下してウェブＷの張力を高め、ウェブＷの張力が強ければエアシリンダ１０５に抗してダンサローラ１０３が上昇しウェブＷの張力を低下させるようになっている。
【００３６】
したがって、エアシリンダ１０５のエア圧（ダンサエア圧、又は、ダンサ圧とも呼ぶ）を設定したいウェブＷの張力（目標張力）に見合うように設定することにより、ダンサローラ１０３の動きによりウェブＷの張力が目標張力の近傍に保持される。つまり、ウェブＷの張力設定は、かかるダンサ圧を設定することに相当する。そこで、印刷を開始するに当たって、このダンサ圧の初期値（プリセット値）を適切に設定することが、印刷開始当初から印刷品質を確保する上で必要になる。
【００３７】
ここで、安定した印刷をする為には、ウェブのテンションを一定に保つ必要がある。一色印刷は、４色印刷より、水分含有率が少ない為、ウェブのヤング率は高くなり、同じダンサ圧では、テンションが張ってしまう為、ダンサ圧を低くし、テンションを緩めてやる必要がある。
また、新聞輪転機の場合、Ａ巻（全幅、４頁幅）、Ｃ巻（４分の３幅、３頁幅）、Ｄ巻（２分の１幅、２頁幅）と種種の紙幅を使用するが、同じダンサ圧でも、紙幅が小さいほど、テンションが高くなる為、Ｄ巻の場合、Ａ巻より小さいダンサ圧を設定する必要がある。
【００３８】
そこで、ここでは、紙幅の設定、つまり、Ａ巻，Ｃ巻，Ｄ巻のうちからの選定に応じて、各紙幅に適したダンサ圧の値を推奨プリセット値としている。つまり、紙幅が小さいほど、ダンサ圧の推奨プリセット値を小さくしている。
そして、ウェブのヤング率Ｅへの影響が最も顕著に現れるのが、ウェブの水分含有率と考えられる。例えば、図４中のタワーユニットＴ１，Ｔ２のように、ウェブの１面に対して４色のプロセスカラーに対応するように４組の印刷胴（版胴及びブランケット胴）をそなえフルカラー印刷を行なえる印刷ユニットにおいて、１組の印刷胴のみを用いるなど、１部の印刷胴を部分的に使用して少ない色（例えば、単色）で印刷する場合がある。この場合、未使用胴については、胴入れすらしないことになるため、ウェブの水分含有率が小さくなる。
【００３９】
そこで、ウェブのヤング率Ｅへの影響が大きい印刷胴の使用率又は使用数に着目して、印刷胴の使用率又は使用数が少ない場合には、その程度に応じて、ダンサ圧の値の低いものを推奨プリセット値として案内し、また、この推奨プリセット値に対する変更操作がなければ、プリセット値設定装置２が自動的に推奨プリセット値を使用すべきプリセット値に設定して、制御装置５が、ダンサ圧がこのプリセット値となるようにウェブ張力調整機構６を調整するようになっている。
【００４０】
つまり、本実施形態では、ウェブ張力に変動を与えるウェブ張力変動要素として、ウェブの水分状態（湿し水の供給量）に対応する印刷胴の使用率又は使用数と、紙幅とを用いている。
なお、本装置では、図５に示すように、多数（例えば２０００件）の運転パターン毎に、建頁，頁割，紙通ＩＤ等の印刷情報に加えて、印刷条件（胴使用率）に応じた、複数のダンサ圧プリセット値を保持するようにしている［図５中の（１）参照］。
【００４１】
そして、オペレータがダンサ圧を調整したら、その後のダンサ圧現在値を、使用運転パターンの使用印刷条件の次回プリセット値として取り込むようになっている［図５中の（２）参照］。
また、新規運転条件の場合（新規運転パターン作成時）には、には、ダンサ圧初期値テーブルを準備し、その初期値テーブルより、該当のプリセット値を読み込んで、ダンサ圧初期値を更新する［図５中の（３）参照］。
【００４２】
このオペレータ調整後のダンサ圧現在値は、ダンサ圧初期値テーブルにも取り込むことができ［図５中の（４）参照］、これにより、新規運転パターン作成時のダンサ圧プリセット値の精度を向上させることができる。
ここで、ディスプレイ２３２（表示装置４）の表示画面２３２ａを参照して、より具体的に説明すると、画像制御装置２３１ｃは、輪転機共通のダンサ圧初期値テーブルとして図６に示すようなダンサ圧初期設定テーブルの表示画面の情報を生成し表示する。
【００４３】
図６に示す画面は、輪転機共通のダンサ圧初期値テーブルを表示するが、新規運転パターンの場合に、本テーブルより、該当データを読取り、設定する。
なお、画面の下部に、メニューエリア２３４ａが設けられ、表示したい操作画面（又は設定画面）を選定するためのキーが模式的な絵柄を添えて表示されている。これらのキーの中からいずれかを選択して指定操作（この場合、キー部分へのタッチ）をすることで、表示したい操作画面を画面中央に表示することができる。
【００４４】
また、画面の上部には、選択した操作画面（操作モード）と印刷機全体の状態等を表示する状態表示エリア２３４が設けられている。
ここでは、本発明に関するダンサ圧初期値設定（プリセット値設定）の操作画面（操作モード）が選択され表示されている。このダンサ圧初期値設定の操作画面には、紙幅（巻幅）選択スイッチ２３６と、ダンサ圧初期値（プリセット値）の設定スイッチ２３７と、胴使用率参照表示２３８と、変更スイッチ類２３９とが表示される。
【００４５】
紙幅（巻幅）選択スイッチ２３６には、Ａ巻，Ｃ巻，Ｄ巻，Ｆ巻（４分の１幅、１頁幅）の各スイッチが表示され、ダンサ圧初期値の設定スイッチ２３７は、印刷機の各リール毎に、つまり、使用可能な各印刷ユニット毎に、ダンサ圧初期値定（プリセット値）を設定できるように、リール選定スイッチ（リール名称２−１Ｒ〜２−５Ｒと表示）が表示され、各リール選定スイッチに対応して、胴使用率に応じた推奨初期値（プリセット値）が表示される。
【００４６】
なお、胴使用率に応じた推奨初期値テーブル（プリセット値）は予め試験等によって最適な関係に作成されており、この初期値テーブルは、各ユニット毎に、巻幅・使用面の割合に応じて複数持つようにしている。
胴使用率参照表示２３８には、何れの印刷ユニットを選定しそれぞれどのように使用するかの情報（例えば、頁割り付け情報）が予め入力されていることで、胴使用率も決まるので、リール選定スイッチを指定すると、そのリール（印刷ユニット）の胴使用率が表示される。この例では、胴使用率を、０％〜３０％，３０％〜６０％，６０％〜１００％の何れに範囲内に相当するかを表示する。
【００４７】
なお、図７は、各運転パターンで設定されているダンサ圧を示す画面であり、表示画面２４０上には各印刷パターンに応じた推奨プリセット値が自動的に選択されて表示される（符号２４１参照）。通常の場合は、各々の運転パターンで保持しているダンサ圧（ここでは、ユニット毎に３個）から、印刷条件に一致したダンサ圧を自動選択する。
ただし、運転中は、本画面では変更することができない設定になっている場合には、他システム（母機ＰＬＣ）より調整することができるようになっている。そして、調整後のダンサ圧を現在値取り込みすることで、次回プリセット値として取込むことができる。また、現在値取り込みは、図６の初期値テーブルにも反映することが可能である。
【００４８】
＜作用及び効果＞
本発明の一実施形態にかかる印刷用ウェブ張力プリセット装置、並びに印刷機の運転支援装置及び方法は上述のように構成されているので、印刷ユニットにおけるウェブ張力に変動を与えるウェブ張力変動要素として、胴使用率の情報（頁割り付け情報でもよい）及び紙幅の情報を入力すれば、対応関係に基づいて、ダンサ圧のプリセット値（ウェブ張力のプリセット値）の推奨値が案内されるので、ウェブ張力の印刷前設定を容易にしかも精度よく行なうことができる。したがって、良好な印刷品質を確保することができる。
【００４９】
オペレータがダンサ圧のプリセット値の変更操作を行なわなかった場合にも、自動で推奨プリセット値を選択してプリセットされるので、ウェブ張力の印刷前設定を自動でしかも精度よく行なうことができ、良好な印刷品質を確保することができる。
また、複数の印刷ユニットの各プリセット値を同一の表示画面に並べて表示し、この表示画面を参照して各プリセット値を何れも設定可能とすることができ、複数の印刷ユニットを一括して効率よく管理することができる。
【００５０】
なお、印刷中に、ダンサ圧が調整された場合には、最終調整値で対応するテーブル（対応関係）を更新すれば、いわゆる学習設定をすることができ、推奨プリセット値をより適切なものにすることができる。
【００５１】
＜その他＞
なお、本発明は、かかる実施形態に限定されるものではなく、本発明は、その趣旨を逸脱しない範囲で、上記の実施形態に対して種々変形を加えて実施することができる。
例えば、ウェブ張力の変動は、ウェブの水分含有率及びインキ受容量に依存するので、印刷時に使用するインキの供給量及び湿し水の供給量のうちの少なくとも何れかに関する要素をウェブ張力変動要素に含ませることで、推奨プリセット値或いは設定プリセット値として適切なものを与えることができる。
【００５２】
また、ウェブの水分含有率及びインキ受容量は、印刷胴の使用率や使用数だけでなく、印刷する絵柄の画線率もウェブの水分含有率及びインキ受容量に影響するので、これらのうちの少なくとも何れかの要素をウェブ張力変動要素に含まれるようにすることで、推奨プリセット値或いは設定プリセット値として適切なものを与えることができる。
【００５３】
また、新聞輪転機に限らず種々の印刷機に適用できる。
【図面の簡単な説明】
【００５４】
【図１】本発明の一実施形態にかかる新聞輪転機の運転支援装置及び印刷用ウェブ張力プリセット装置の主要構成を示すブロック図である。
【図２】本発明の一実施形態にかかる新聞輪転機の運転支援装置の主要部分を示す斜視図である。
【図３】本発明の一実施形態にかかる新聞輪転機の運転支援システムの概略構成図である。
【図４】本発明の一実施形態にかかる新聞輪転機を示す模式的な構成図である。
【図５】本発明の一実施形態にかかるウェブ張力プリセットを説明する図である。
【図６】本発明の一実施形態にかかる新聞輪転機の運転支援装置及び方法を説明する表示画像を示す図である。
【図７】本発明の一実施形態にかかる新聞輪転機の運転支援装置及び方法を説明する表示画像を示す図である。
【図８】一般的なウェブ張力調整機構をそなえた印刷装置のインフィード部を示す模式図である。
【符号の説明】
【００５５】
Ｗ  連続紙（ウェブ）
１０新聞輪転機
１１  給紙部
１１ａ  ウェブローラ（巻取紙）
１２  インフィード部
１３  印刷部
１４  ウェブパス部
１５  折加工部
２０  運転支援システム
２１  製版端末
２２  ハブ（スイッチングハブ）
２３  コンソール端末
２４ａ〜２４ｆ  制御装置
３０  上位システム
１０２  インフィードドラグ（インフィードローラ）
１０３  ダンサローラ
１０３ａ，１０３ｂ  ガイドロール
１０４  インフィードテンションピック
１０５  エアシリンダ
１０５ａ  回転軸
１０５ｂ  アーム
１０５ｃ  バネ
２３１  コンピュータ本体
２３１ａ  演算装置
２３１ｂ  画像制御装置
２３２  ディスプレイ（表示装置）
２３３  タッチパネル（入力装置）
Ｔ１〜Ｔｎ  印刷ユニット（タワーユニット）
【図１】
0005390777.tif 000002
【図２】
0005390777.tif 000003
【図３】
0005390777.tif 000004
【図４】
0005390777.tif 000005
【図５】
0005390777.tif 000006
【図６】
0005390777.tif 000007
【図７】
0005390777.tif 000008
【図８】
0005390777.tif 000009